(57)【要約】【課題】重要な書類等を紛失させないことに加え、重要事項を十分に書き留めるだけのスペースを備えると共に、写真等を差し替え自在であって、差し替え作業が容易で製作コストをより低減できるカレンダーを提案する。【解決手段】本考案のカレンダー１は、袋状に形成され表面２ａに月日が記されたカレンダー頁２と、カレンダー頁２と共に綴じられた備忘録頁３と、カレンダー頁２および備忘録頁３を下部で保持するカレンダー保持体４とを有し、カレンダー保持体４は、透明板５と、透明板５の裏側に配され透明板５と重ね合わされた台紙６とを有し、透明板５は、下端辺５ａ付近のみで台紙６に取り付けられている。【選択図】図１
0003123304.tif 000002
【実用新案登録請求の範囲】
【請求項１】
袋状に形成され表面に月日が記されたカレンダー頁と、該カレンダー頁と共に綴じられた備忘録頁とを有していることを特徴とするカレンダー。
【請求項２】
前記カレンダー頁は、表面側に切り欠き部を有し、当該切り欠き部により袋内部を目視可能に形成されている請求項１に記載のカレンダー。
【請求項３】
透明板と、該透明板の裏側に配された台紙とが重ね合わされたカレンダー保持体を有し、前記透明板は、下端辺付近のみにて前記台紙に取り付けられていることを特徴とするカレンダー。
【請求項４】
袋状に形成され表面に月日が記されたカレンダー頁と、該カレンダー頁と共に綴じられた備忘録頁と、前記カレンダー頁および備忘録頁を下部で保持するカレンダー保持体とを有し、該カレンダー保持体は、透明板と、該透明板の裏側に配され該透明板と重ね合わされた台紙とを有し、前記透明板は、下端辺付近のみで前記台紙に取り付けられていることを特徴とするカレンダー。
【考案の詳細な説明】
【技術分野】
【０００１】
本考案は、月、日、または曜日を確認する本来の機能に加え、使用者のニーズに対応した各種機能を備えたカレンダーに関する。
【背景技術】
【０００２】
本願考案者は、実用新案登録第３０４７６９０号において、カレンダーを構成する部位を袋状に形成し、その袋の表面に日付等を印刷してカレンダーを構成すると共に、袋内に郵送されてきた手紙や領収書などを収納可能とした、ポケット式カレンダーを提案した。
【０００３】
また、本願考案者は、実用新案登録第３０３５４５８号において、透明板を上端辺部にてコ状に屈曲させ表裏二枚の透明板の間隙に使用者が任意の写真等を差し込むことができるようにしたカレンダーを提案した。
【０００４】
両者のカレンダーとも、使用者のニーズに適うものであるが、前者のカレンダーの場合、重要な書類等を紛失させないことに加え、重要事項を失念することなく書き留めておきたいというニーズがある。しかし、カレンダーには、重要事項を十分に書き留めるだけのスペースがないのが通常である。
【０００５】
また、後者のカレンダーの場合、上端辺部が閉塞しているため、写真等の差し替えが煩雑であると共に、表裏二枚の透明板を用いているためその分製作コストを要していた。
【特許文献１】実用新案登録第３０４７６９０号公報
【特許文献２】実用新案登録第３０３５４５８号公報
【考案の開示】
【考案が解決しようとする課題】
【０００６】
そこで、本考案の第１の課題は、重要な書類等を紛失させないことに加え、重要事項を十分に書き留めるだけのスペースを備えたカレンダーを提供することにある。
【０００７】
また、本考案の第２の課題は、写真等を差し替え自在であって、差し替え作業が容易で製作コストをより低減できるカレンダーを提案することにある。
【０００８】
さらに、本考案の第３の課題は、重要な書類等を紛失させないことに加え、重要事項を十分に書き留めるだけのスペースを備えると共に、写真等を差し替え自在であって、差し替え作業が容易で製作コストをより低減できるカレンダーを提案することにある。
【課題を解決するための手段】
【０００９】
上記第１の課題を解決するものは、袋状に形成され表面に月日が記されたカレンダー頁と、該カレンダー頁と共に綴じられた備忘録頁とを有していることを特徴とするカレンダーである。前記カレンダー頁は、表面側に切り欠き部を有し、当該切り欠き部により袋内部を目視可能に形成されていることが好ましい。
【００１０】
また、上記第２の課題を解決するものは、透明板と、該透明板の裏側に配された台紙とが重ね合わされたカレンダー保持体を有し、前記透明板は、下端辺付近のみにて前記台紙に取り付けられていることを特徴とするカレンダー。
【００１１】
さらに、上記第３の課題を解決するものは、袋状に形成され表面に月日が記されたカレンダー頁と、該カレンダー頁と共に綴じられた備忘録頁と、前記カレンダー頁および備忘録頁を下部で保持するカレンダー保持体とを有し、該カレンダー保持体は、透明板と、該透明板の裏側に配され該透明板と重ね合わされた台紙とを有し、前記透明板は、下端辺付近のみで前記台紙に取り付けられていることを特徴とするカレンダーである。
【考案の効果】
【００１２】
請求項１に記載の考案によれば、重要な書類等を紛失させないことに加え、重要事項を十分に書き留めるだけのスペースを備えたカレンダーとなる。
請求項２に記載の考案によれば、上記請求項１の効果に加え、カレンダー頁の袋の中に書類等が入っているか否かを外部より一目できる。
請求項３に記載の考案によれば、写真等を差し替え自在であって、差し替え作業が容易で製作コストをより低減できるカレンダーとなる。
請求項４に記載の考案によれば、重要な書類等を紛失させないことに加え、重要事項を十分に書き留めるだけのスペースを備えると共に、写真等を差し替え自在であって、差し替え作業が容易で製作コストをより低減できるカレンダーとなる。
【考案を実施するための最良の形態】
【００１３】
本考案では、重要な書類等を紛失させないことに加え、重要事項を十分に書き留めるだけのスペースを備えると共に、写真等を差し替え自在であって、差し替え作業が容易で製作コストをより低減できるカレンダーを実現した。
【実施例１】
【００１４】
図１は本考案のカレンダーの一実施例の斜視図であり、図２は図１に示したカレンダーの右側面図であり、図３は図１に示したカレンダーのカレンダー頁の展開斜視図であり、図４は図１に示したカレンダーの備忘録頁の正面図であり、図５は図１に示したカレンダーのカレンダー保持体の作用を示す斜視図である。
【００１５】
この実施例のカレンダー１は、図１に示すように、袋状に形成され表面２ａに月日が記されたカレンダー頁２と、カレンダー頁２と共に綴じられた備忘録頁３と、カレンダー頁２および備忘録頁３を下部で保持するカレンダー保持体４とを有し、カレンダー保持体４は、透明板５と、透明板５の裏側に配され透明板５と重ね合わされた台紙６とを有し、透明板５は、下端辺５ａ付近のみで台紙６に取り付けられている。以下、各構成について順次詳述する。
【００１６】
カレンダー頁２は、カレンダーとしての主体をなす部位であり、袋状に形成され、その袋の中へ郵送等されてきた重要書類等を収納可能に構成されている。具体的には、この実施例のカレンダー頁２は、外形形状が図３に示すように裁断形成された紙にて構成されており、下部両側に設けられた糊しろ部２ｂを図中矢印に示すように内側にそれぞれ折曲し、裏面に糊を塗布した上で、図中矢印方向（上側）に向かって折り返し、さらに重ね合わされ接着されて袋状に形成されている。
【００１７】
また、カレンダー頁２には、複数の切り欠き部（切り欠き穴）７が形成されると共に、カレンダー頁２を構成する紙とはコントラストの大きい色で構成された帯状体８が貼付されている。そして、折り返し重ね合わされると、図１に示すように、切り欠き部７には帯状体８が現れて、書類等が袋内に存在する時は帯状体８が書類等に隠れて書類等の存在を外部より一目できるように構成されている。
【００１８】
カレンダー頁２の表面２ａには、図１に示すように、月日等が記されており、下部には小スペースの備忘欄が設けられている。また、カレンダー頁２の上部付近には、水平方向に２つの綴じ穴９が形成されている。
【００１９】
そして、この実施例のカレンダー１は、このようなカレンダー頁２が月毎に形成され、計１２枚のカレンダー頁を有している。
【００２０】
備忘録頁３は、重要事項を書き留めるための部位であり、図４に示すように、この実施例では、２ケ月分の備忘録が一枚の備忘録頁３で構成され、備忘録頁３の上部付近には水平方向に２つの綴じ穴１０が形成されている。そして、この実施例のカレンダー１は、計６枚の備忘録頁を有しており、カレンダー頁２が２枚綴られる度に一枚の備忘欄頁３が綴られている。このように、本考案のカレンダーは、備忘録頁を備えているため、重要事項を十分に書き留めることができる。また、備忘録頁の下部は、図１に示すように、カレンダー頁２より下方に延出する部位を有しているため、この部位により重要な事項を記載しておけば、失念する事態をより防止できる。
【００２１】
カレンダー頁２および備忘録頁３は、図１または図２に示すように、カレンダー保持体４の下部において、水平方向に配された２組の螺合部材１１により取り付けられている。具体的には、螺合部材１１は、図２に示すように、透明板５の表面側から綴り穴９，１０に挿通する樹脂製ボルト１１ａと、台紙６の裏面側から綴り穴９，１０に挿通する樹脂製ナット１１ｂとからなり、両者が螺合することにより、カレンダー頁２および備忘録頁３がカレンダー保持体４の下部において保持されるように構成されている。そして、カレンダー頁２および備忘録頁３が、螺合部材１１により取り付けられる構造であることにより、カレンダー頁２および備忘録頁３を毎年取り替えて使用することも可能である。また、その月が終わったらカレンダー頁２を下方に向かって容易に引き抜くことができ、月毎に重要書類等を保管することができる。
【００２２】
カレンダー保持体４は、カレンダー頁２および備忘録頁３を保持する部位であると共に、使用者が好みの写真や絵などを差し替えて独自のカレンダーを作製できるように構成された部位である。
この実施例のカレンダー保持体４は、図２に示すように、透明板５と、透明板５の裏側に配され透明板５と重ね合わされた同形同サイズの台紙６と、スペーサー１２とから構成されている。そして、透明板５は、下端辺５ａ付近（螺合部材１２が取り付けられる部位の上部）のみでスペーサー１２を介して台紙６に取り付けられている。
【００２３】
このように、本考案のカレンダーのカレンダー保持体４は、透明板５が台紙６に下端辺付近のみにて固定部材１３により固定されているため、上端辺側および両側端辺側は自由端となっており、図５に示すように、透明板５の上部を捲って、好みの写真等１５を容易に差し替えることができる。そして、透明板５および台紙６の上部にはそれぞれ吊下穴１４，１６が穿設されているため、これらの吊下穴１４，１６内に壁等への取付部材を挿通させることで壁等にカレンダー１を吊り下げることができると共に、写真等１５を透明板５および台紙６の間隙にて保持することができる。
【００２４】
また、本考案のカレンダーは、重要書類等を保管できるように構成されており、さらに、重要事項を十分に書き留めておくことができる備忘録頁を備えているため有用性が極めて高く、特に高齢者にとっては利便性が高いものとなる。
【図面の簡単な説明】
【００２５】
【図１】本考案のカレンダーの一実施例の斜視図である。
【図２】図１に示したカレンダーの右側面図である。
【図３】図１に示したカレンダーのカレンダー頁の展開斜視図である。
【図４】図１に示したカレンダーの備忘録頁の正面図である。
【図５】図１に示したカレンダーのカレンダー保持体の作用を示す斜視図である。
【符号の説明】
【００２６】
１    カレンダー
２    カレンダー頁
３    備忘録頁
４    カレンダー保持体
５    透明板
６    台紙
７    切り欠き部
８    帯状体
９    綴じ穴
１０  綴じ穴
１１  螺合部材
１２  スペーサー
１３  固定部材
１４  吊下穴
１５  写真等
１６  吊下穴
【図１】
0003123304.tif 000003
【図２】
0003123304.tif 000004
【図３】
0003123304.tif 000005
【図４】
0003123304.tif 000006
【図５】
0003123304.tif 000007
【手続補正書】
【提出日】平成18年5月1日(2006.5.1)
【手続補正１】
【補正対象書類名】実用新案登録請求の範囲
【補正対象項目名】全文
【補正方法】変更
【補正の内容】
【実用新案登録請求の範囲】
【請求項１】
袋状に形成され表面に月日が記されたカレンダー頁と、該カレンダー頁と共に綴じられた備忘録頁とを有していることを特徴とするカレンダー。
【請求項２】
前記カレンダー頁は、表面側に切り欠き部を有し、当該切り欠き部により袋内部を目視可能に形成されている請求項１に記載のカレンダー。
【請求項３】
前記カレンダーは、透明板と、該透明板の裏側に配された台紙とが重ね合わされたカレンダー保持体を有し、前記透明板は、下端辺付近のみにて前記台紙に取り付けられている請求項１または２に記載のカレンダー。
【手続補正２】
【補正対象書類名】明細書
【補正対象項目名】全文
【補正方法】変更
【補正の内容】
【考案の詳細な説明】
【技術分野】
【０００１】
本考案は、月、日、または曜日を確認する本来の機能に加え、使用者のニーズに対応した各種機能を備えたカレンダーに関する。
【背景技術】
【０００２】
本願考案者は、実用新案登録第３０４７６９０号において、カレンダーを構成する部位を袋状に形成し、その袋の表面に日付等を印刷してカレンダーを構成すると共に、袋内に郵送されてきた手紙や領収書などを収納可能とした、ポケット式カレンダーを提案した。
【０００３】
また、本願考案者は、実用新案登録第３０３５４５８号において、透明板を上端辺部にてコ状に屈曲させ表裏二枚の透明板の間隙に使用者が任意の写真等を差し込むことができるようにしたカレンダーを提案した。
【０００４】
両者のカレンダーとも、使用者のニーズに適うものであるが、前者のカレンダーの場合、重要な書類等を紛失させないことに加え、重要事項を失念することなく書き留めておきたいというニーズがある。しかし、カレンダーには、重要事項を十分に書き留めるだけのスペースがないのが通常である。
【０００５】
また、後者のカレンダーの場合、上端辺部が閉塞しているため、写真等の差し替えが煩雑であると共に、表裏二枚の透明板を用いているためその分製作コストを要していた。
【特許文献１】実用新案登録第３０４７６９０号公報
【特許文献２】実用新案登録第３０３５４５８号公報
【考案の開示】
【考案が解決しようとする課題】
【０００６】
そこで、本考案の課題は、重要な書類等を紛失させないことに加え、重要事項を十分に書き留めるだけのスペースを備えたカレンダーを提供することにある。
【０００７】
また、本考案の第２の課題は、重要な書類等を紛失させないことに加え、重要事項を十分に書き留めるだけのスペースを備えると共に、写真等を差し替え自在であって、差し替え作業が容易で製作コストをより低減できるカレンダーを提案することにある。
【課題を解決するための手段】
【０００８】
上記第１の課題を解決するものは、袋状に形成され表面に月日が記されたカレンダー頁と、該カレンダー頁と共に綴じられた備忘録頁とを有していることを特徴とするカレンダーである。前記カレンダー頁は、表面側に切り欠き部を有し、当該切り欠き部により袋内部を目視可能に形成されていることが好ましい。
【０００９】
また、上記第２の課題を解決するものは、袋状に形成され表面に月日が記されたカレンダー頁と、該カレンダー頁と共に綴じられた備忘録頁と、前記カレンダー頁および備忘録頁を下部で保持するカレンダー保持体とを有し、該カレンダー保持体は、透明板と、該透明板の裏側に配され該透明板と重ね合わされた台紙とを有し、前記透明板は、下端辺付近のみで前記台紙に取り付けられていることを特徴とするカレンダーである。
【考案の効果】
【００１０】
請求項１に記載の考案によれば、重要な書類等を紛失させないことに加え、重要事項を十分に書き留めるだけのスペースを備えたカレンダーとなる。
請求項２に記載の考案によれば、上記請求項１の効果に加え、カレンダー頁の袋の中に書類等が入っているか否かを外部より一目できる。
請求項３に記載の考案によれば、重要な書類等を紛失させないことに加え、重要事項を十分に書き留めるだけのスペースを備えると共に、写真等を差し替え自在であって、差し替え作業が容易で製作コストをより低減できるカレンダーとなる。
【考案を実施するための最良の形態】
【００１１】
本考案では、重要な書類等を紛失させないことに加え、重要事項を十分に書き留めるだけのスペースを備えると共に、写真等を差し替え自在であって、差し替え作業が容易で製作コストをより低減できるカレンダーを実現した。
【実施例１】
【００１２】
図１は本考案のカレンダーの一実施例の斜視図であり、図２は図１に示したカレンダーの右側面図であり、図３は図１に示したカレンダーのカレンダー頁の展開斜視図であり、図４は図１に示したカレンダーの備忘録頁の正面図であり、図５は図１に示したカレンダーのカレンダー保持体の作用を示す斜視図である。
【００１３】
この実施例のカレンダー１は、図１に示すように、袋状に形成され表面２ａに月日が記されたカレンダー頁２と、カレンダー頁２と共に綴じられた備忘録頁３と、カレンダー頁２および備忘録頁３を下部で保持するカレンダー保持体４とを有し、カレンダー保持体４は、透明板５と、透明板５の裏側に配され透明板５と重ね合わされた台紙６とを有し、透明板５は、下端辺５ａ付近のみで台紙６に取り付けられている。以下、各構成について順次詳述する。
【００１４】
カレンダー頁２は、カレンダーとしての主体をなす部位であり、袋状に形成され、その袋の中へ郵送等されてきた重要書類等を収納可能に構成されている。具体的には、この実施例のカレンダー頁２は、外形形状が図３に示すように裁断形成された紙にて構成されており、下部両側に設けられた糊しろ部２ｂを図中矢印に示すように内側にそれぞれ折曲し、裏面に糊を塗布した上で、図中矢印方向（上側）に向かって折り返し、さらに重ね合わされ接着されて袋状に形成されている。
【００１５】
また、カレンダー頁２には、複数の切り欠き部（切り欠き穴）７が形成されると共に、カレンダー頁２を構成する紙とはコントラストの大きい色で構成された帯状体８が貼付されている。そして、折り返し重ね合わされると、図１に示すように、切り欠き部７には帯状体８が現れて、書類等が袋内に存在する時は帯状体８が書類等に隠れて書類等の存在を外部より一目できるように構成されている。
【００１６】
カレンダー頁２の表面２ａには、図１に示すように、月日等が記されており、下部には小スペースの備忘欄が設けられている。また、カレンダー頁２の上部付近には、水平方向に２つの綴じ穴９が形成されている。
【００１７】
そして、この実施例のカレンダー１は、このようなカレンダー頁２が月毎に形成され、計１２枚のカレンダー頁を有している。
【００１８】
備忘録頁３は、重要事項を書き留めるための部位であり、図４に示すように、この実施例では、２ケ月分の備忘録が一枚の備忘録頁３で構成され、備忘録頁３の上部付近には水平方向に２つの綴じ穴１０が形成されている。そして、この実施例のカレンダー１は、計６枚の備忘録頁を有しており、カレンダー頁２が２枚綴られる度に一枚の備忘欄頁３が綴られている。このように、本考案のカレンダーは、備忘録頁を備えているため、重要事項を十分に書き留めることができる。また、備忘録頁の下部は、図１に示すように、カレンダー頁２より下方に延出する部位を有しているため、この部位により重要な事項を記載しておけば、失念する事態をより防止できる。
【００１９】
カレンダー頁２および備忘録頁３は、図１または図２に示すように、カレンダー保持体４の下部において、水平方向に配された２組の螺合部材１１により取り付けられている。具体的には、螺合部材１１は、図２に示すように、透明板５の表面側から綴り穴９，１０に挿通する樹脂製ボルト１１ａと、台紙６の裏面側から綴り穴９，１０に挿通する樹脂製ナット１１ｂとからなり、両者が螺合することにより、カレンダー頁２および備忘録頁３がカレンダー保持体４の下部において保持されるように構成されている。そして、カレンダー頁２および備忘録頁３が、螺合部材１１により取り付けられる構造であることにより、カレンダー頁２および備忘録頁３を毎年取り替えて使用することも可能である。また、その月が終わったらカレンダー頁２を下方に向かって容易に引き抜くことができ、月毎に重要書類等を保管することができる。
【００２０】
カレンダー保持体４は、カレンダー頁２および備忘録頁３を保持する部位であると共に、使用者が好みの写真や絵などを差し替えて独自のカレンダーを作製できるように構成された部位である。
この実施例のカレンダー保持体４は、図２に示すように、透明板５と、透明板５の裏側に配され透明板５と重ね合わされた同形同サイズの台紙６と、スペーサー１２とから構成されている。そして、透明板５は、下端辺５ａ付近（螺合部材１２が取り付けられる部位の上部）のみでスペーサー１２を介して台紙６に取り付けられている。
【００２１】
このように、本考案のカレンダーのカレンダー保持体４は、透明板５が台紙６に下端辺付近のみにて固定部材１３により固定されているため、上端辺側および両側端辺側は自由端となっており、図５に示すように、透明板５の上部を捲って、好みの写真等１５を容易に差し替えることができる。そして、透明板５および台紙６の上部にはそれぞれ吊下穴１４，１６が穿設されているため、これらの吊下穴１４，１６内に壁等への取付部材を挿通させることで壁等にカレンダー１を吊り下げることができると共に、写真等１５を透明板５および台紙６の間隙にて保持することができる。
【００２２】
また、本考案のカレンダーは、重要書類等を保管できるように構成されており、さらに、重要事項を十分に書き留めておくことができる備忘録頁を備えているため有用性が極めて高く、特に高齢者にとっては利便性が高いものとなる。
【図面の簡単な説明】
【００２３】
【図１】本考案のカレンダーの一実施例の斜視図である。
【図２】図１に示したカレンダーの右側面図である。
【図３】図１に示したカレンダーのカレンダー頁の展開斜視図である。
【図４】図１に示したカレンダーの備忘録頁の正面図である。
【図５】図１に示したカレンダーのカレンダー保持体の作用を示す斜視図である。
【符号の説明】
【００２４】
１    カレンダー
２    カレンダー頁
３    備忘録頁
４    カレンダー保持体
５    透明板
６    台紙
７    切り欠き部
８    帯状体
９    綴じ穴
１０  綴じ穴
１１  螺合部材
１２  スペーサー
１３  固定部材
１４  吊下穴
１５  写真等
１６  吊下穴